(57)【要約】【課題】部品点数の削減、構造の簡素化及びコストの低減が図れるシャッター付出窓を提供する。【解決手段】建物の躯体１０に固定される左右の縦枠１２及び屋外正面部左右の方立１３を含む出窓本体２と、該出窓本体２の上部に中屋根４１を介して設けられ、内部にシャッター本体３２を収容するボックス４と、前記方立１３に設けられ、シャッター本体３２から巻上げ下げされるシャッタースラット３１を案内するガイドレール３４とを備え、前記中屋根４１の正面部と側面部に支持部４６ａ，４６ｂを連続的に設け、側面部の支持部４６ｂに前記ボックス４の側面部下部を支持させると共に、正面部の支持部４６ａに前記シャッタースラット３１の屋内面に接する止水部材５１を取付けている。【選択図】          図６
2004293209.tif 000002
【特許請求の範囲】
【請求項１】
建物の躯体に固定される左右の縦枠及び屋外正面部左右の方立を含む出窓本体と、該出窓本体の上部に中屋根を介して設けられ、内部にシャッター本体を収容するボックスと、前記方立に設けられ、シャッター本体から巻上げ下げされるシャッタースラットを案内するガイドレールとを備え、前記中屋根の正面部と側面部に支持部を連続的に設け、側面部の支持部に前記ボックスの側面部下部を支持させると共に、正面部の支持部に前記シャッタースラットの屋内面に接する止水部材を取付けたことを特徴とするシャッター付出窓。
【発明の詳細な説明】
【０００１】
【発明の属する技術分野】
本発明は、シャッター付出窓に係り、特に構造の簡素化等を図ったシャッター付出窓に関する。
【０００２】
【従来の技術】
出窓としては、建物の躯体に固定される左右の縦枠及び屋外正面部左右の方立を含む出窓本体と、該出窓本体の上部に中屋根を介して設けられ、内部にシャッター本体を収容するボックス（シャッターボックスともいう）と、前記方立に設けられ、シャッター本体から巻上げ下げされるシャッタースラットを案内するガイドレールとを備えたシャッター付出窓が知られている（例えば、特開平１０−８８９１８号公報参照）。この出窓においては、例えば出窓本体の正面部（屋外正面部）に引違い窓が設けられ、出窓本体の左右の側面部に嵌め殺し窓が設けられており、嵌め殺し窓の屋外側には開き雨戸が開閉自在に設けられている。引違い窓の室外側をシャッタースラットで覆い、嵌め殺し窓を開き雨戸で覆うことにより、台風や強風時における飛来物からの窓ガラスの保護、光や音の遮断、防犯性の向上等を図ることができる。
【０００３】
ところで、従来の出窓は、ボックスと中屋根が別体であり、これらボックス及び中屋根が躯体にそれぞれ固定されている。また、ボックス内には予め工場でシャッター本体が組込まれている。更に、図８の右側部分に示すように、出窓本体２及びボックス４は、側部に躯体への取付部１２ｂ，４ｂを有し、これらの取付部１２ｂ，４ｂを固着具である例えば釘やネジで躯体１０に固定するようになっている。前記ボックス４の構造上、ボックス４の側部４ａが縦枠１２の側部１２ａよりも突出しており、ボックス４の側部４ａと縦枠１２の側部１２ａとの間に段差がある。また、ボックス４の取付部４ｂと縦枠１２の取付部１２ｂとの間にも段差があるため、これら取付部４ｂ，１２ｂを覆うように防水テープ５０を貼り付けるときに、防水テープ５０を縦方向に連続的に貼り付けることができない。
【０００４】
【特許文献１】
特開平１０−８８９１８号公報
【０００５】
【発明が解決しようとする課題】
前記出窓においては、ボックスと中屋根が別体であり、これらボックス及び中屋根を躯体にそれぞれ取付けなければならないため、施工に多くの手間がかかっていた。これらボックスと中屋根を一体化できれば、これらの躯体への取付けが１回で済み、施工性の向上を図る上で好ましい。一方、シャッター付サッシにおいては、シャッタースラットの屋内面に付着した雨水等の水を拭うための止水部材をサッシの上枠に取付けるようにした提案がなされているが、これをシャッター付出窓に適用する場合、中屋根に止水部材を取付けることが好ましい。
【０００６】
しかしながら、このような構成を採用する場合、中屋根にはボックス及び止水部材をそれぞれ取付けるための専用の取付部を別途設ける必要があり、このため、部品点数の増大、構造の煩雑化及びコストの上昇を招く恐れがある。
【０００７】
本発明は、前記事情を考慮してなされたもので、部品点数の削減、構造の簡素化及びコストの低減が図れるシャッター付出窓を提供することを目的とする。
【０００８】
【課題を解決するための手段】
本発明は、建物の躯体に固定される左右の縦枠及び屋外正面部左右の方立を含む出窓本体と、該出窓本体の上部に中屋根を介して設けられ、内部にシャッター本体を収容するボックスと、前記方立に設けられ、シャッター本体から巻上げ下げされるシャッタースラットを案内するガイドレールとを備え、前記中屋根の正面部と側面部に支持部を連続的に設け、側面部の支持部に前記ボックスの側面部下部を支持させると共に、正面部の支持部に前記シャッタースラットの屋内面に接する止水部材を取付けたことを特徴とする。
【０００９】
【発明の実施の形態】
以下に、本発明の実施の形態を添付図面に基いて詳述する。図１は本発明を出窓に適用した実施の形態を示す概略的斜視図、図２は同出窓の概略的縦断面図、図３は同出窓の概略的横断面図、図４は同出窓の側面部の概略的縦断面図である。また、図５は同出窓の分解斜視図、図７は止水パッキンの取付状態を示す縦断面図、図６はボックスの分解斜視図である。
【００１０】
これらの図において、１はシャッター付出窓で、建物の躯体（開口部の左右の柱）１０に固定される左右の縦枠１２及び屋外正面部７の左右の方立１３を含む出窓本体２と、この出窓本体２の上部に中屋根４１を介して設けられ、内部にシャッター本体３２を収容するボックス４と、前記方立１３に設けられ、シャッター本体３２から巻上げ下げされるシャッタースラット３１を案内するガイドレール３４とを備えている。出窓本体２は、建物の開口部と平行な正面部７及び左右の側面部８を有する平面台形に形成されている。前記縦枠１２の側部１２ａは躯体１０の屋外面に対して略垂直であり、この縦枠１２の側部１２ａから前記側面部８が屋外側の内側斜め前方へ傾斜して延出されている。
【００１１】
出窓本体２は、左右の縦枠１２と、左右の方立１３と、縦枠１２と方立１３の間に結合される側面上枠１４、側面下枠１５と、左右の方立１３間に結合される正面上枠１６、正面下枠１７とを有し、これらをネジ止めにより枠状に組立てて構成されている。また、左右の縦枠１２の上端部間には天板見切り縁６０が掛け渡して取付けられる。縦枠１２は側部に躯体１０への取付部１２ｂを有し、この取付部１２ｂが躯体１０に固着具例えばネジ１１で固定される。また、出窓本体２は、左右の縦枠１２の下端部間に掛け渡されて開口部の窓台１８に当接される水切り部材２０を有し、この水切部材２０と正面下枠１７の間には左右一対または複数本の補強ブラケット２１が掛け渡されている。補強ブラケット２１は水切り部材２０から室内方向に突出した突出部２２を有し、この突出部２２が窓台１８上に固着具例えばネジ２３で固定されている。
【００１２】
前記補強ブラケット２１の上面部にはテーブル板５が載置されている。正面下枠１７及び側面下枠１５に形成されたテーブル板保持溝にテーブル板５の平面台形状の先端部が嵌合され、ネジで固定されている（図示省略）。また、正面下枠１７、側面下枠１５及び水切部材２０で区画される領域には断熱材が設けられると共に、その領域を下方から覆うように底板６が取付けられている。
【００１３】
出窓本体２の正面部７には開閉自在な窓例えば引違い窓２４が設けられ、左右の側面部８には嵌め殺し窓２５が設けられている。すなわち、正面部７における左右の方立１３、正面上枠１６及び正面下枠１７で組まれた枠組内には、引違い窓２４を構成する内外の障子２６ａ，２６ｂが開閉自在に取付けられており、側面部８における縦枠１２、方立１３、側面上枠１４及び側面下枠１５で組まれた枠組内には、嵌め殺し窓２５を構成するガラスパネル２７が嵌め込まれている。前記縦枠１２、方立１３、正面上枠１６、正面下枠１７、側面上枠１４及び側面下枠１５は、金属製例えばアルミニウム合金製の押出形材からなっている。また、図示例の場合、断熱性を向上させるために、金属製の押出形材の室内側には合成樹脂製の室内形材が着脱可能に取付けられている。
【００１４】
前記正面部７の引違い窓２４の室外側は、シャッタースラット３１で覆われるようになっており、側面部８の嵌め殺し窓２５の室外側には、嵌め殺し窓２５を覆う開き雨戸３０が開閉自在に設けられている。前記開き雨戸３０は、縦枠１２側を支点として開閉自在に設けられている。前記縦枠１２の室外面には、開き雨戸３０の基端部の上下端部を回動自在に軸支する上下一対のピボット軸受３５が取付けられている。開き雨戸３０は、例えば金属製の上框３６、下框３７及び左右の縦框３８で組まれた枠内に鋼板等でなる複数枚のパネル３９を組込んでなるものである。出窓本体２には開き雨戸３０を室内側から開閉操作する開閉機構が設けられている（図示省略）。
【００１５】
前記ボックス４（先付けボックスともいう）は、金属板（板金）を折り曲げ加工してなり、その前面部が、シャッター本体３２の後付けが可能なように開口している（図５参照）。前記ボックス４の前面部には、開口４ｄを覆う蓋体（後付けボックスともいう）４０が着脱可能に取付けられる。また、ボックス４は、図６に示すように、その下面部（底面部）及び背面部も開口しており、その開口した下面部には中屋根４１が一体的に設けられている。この中屋根４１は、天板３と、この天板３上の正面部及び左右の側面部に固定された軒天部材４２ａ，４２ｂと、この軒天部材に固定された表面材４３と、この表面材４３に固定された背板４４と、これら表面材４３、背板４４及び天板３で区画された内部に収容された断熱材５３とから主に構成されている。
【００１６】
また、ボックス４は、躯体１０の屋外面と略垂直な側部４ａと、この側部４ａから屋外側へ延出した側面部４ｅとを有している。この側面部４ｅは、前記出窓本体２の側面部８と略平行、すなわち内側斜め前方に傾斜している。ボックス４は、側部４ａ（の屋内側縁部）に躯体１０への取付部４ｂを有し、上部（の屋内側縁部）にも躯体への取付部４ｃを有している。ボックス４の側面部４ｅの下部が中屋根４１の対応する部分に支持固定され、ボックス４の背面部には中屋根４１の背板４４が固定され、これによりボックス４と中屋根４１が一体化（合体）されている。また、ボックス４の両側面部４ｅを含む両側部４ａには合成樹脂製のサイドカバー４５がそれぞれ取付けられる。
【００１７】
前記中屋根４１の正面軒天部材４２ａと側面軒天部材４２ｂは同一断面形状の例えばアルミニウム合金製の押出形材からなっている。そして、中屋根４１の正面部と側面部、すなわち正面軒天部材４２ａと側面軒天部材４２ｂの縁部には、支持部であるリブ４６ａ，４６ｂが周縁に沿って連続するように（連続的に）設けられている（図７、図４参照）。リブ４６ａ，４６ｂの先端縁部は上向きに折曲されている。前記ボックス４の側面部４ｅの下部には、前記側面軒天部材４２ｂのリブ４６ｂの上面に載置されて固着具例えばリベット４７で固定される固定片部４８が設けられている（図４、図６参照）。
【００１８】
このようにボックス４の側面部４ｅの下部（固定片部４８）を中屋根４１の対応する部分（側面軒天部材のリブ４６ｂ）（側面部の支持部）に支持固定するようにし、ボックス４の側部４ａの下部を中屋根４１の対応する部分に支持固定しないようにしたことにより、ボックス４の側部の突出を抑制している。そして、このようにボックス４の側部４ｅの突出を抑制することにより、ボックス４の側部４ａと縦枠１２の側部１２ａとの間の段差をなくすべく、ボックス４の側部４ａを縦枠１２の側部１２ａと略面一にしている（縦枠の側部とボックスの側部とを略面一にしている）（図８の左側部分参照）。これにより、見栄えが良くなり、意匠性の向上が図れると共に、ボックス４の取付部４ｂ及び縦枠１２の取付部１２ｂに防水テープ５０を貼り付けるときに縦方向に連続的に貼り付けることができ、施工性の向上が図れる。
【００１９】
一方、正面軒天部材４２ａのリブ（正面部の支持部）４６ａには、シャッタースラット３１の屋内面（裏面）に接（摺接）して、そこに付着している雨水等の水を拭い、シャッタースラットの巻上げに伴って雨水等の水がボックス４内に侵入するのを防止するための軟質樹脂ないしゴム製のヒレ状の止水部材５１が長手方向に沿って取付けられている。この止水部材５１は、図７にも示すように、前記正面軒天部材４２ａのリブ４６ａを自らの弾性力で上下から挟持して自己保持する挟持部５１ａと、この挟持部５１ａからシャッタースラット３１の裏面に先端側が接するように延出されたヒレ部５１ｂとからなっている。前記挟持部５１ａは、リブ４６ａの下面に当接される横断面Ｌ字状の下片部５２ａと、リブ４６ａの上面に当接される上片部５２ｂとを有している。前記ボックス４の組立て、止水部材５１の取付け及び出窓本体２の組立ては工場で行われる。
【００２０】
以上の構成からなるシャッター付出窓１の施工方法を説明する。先ず、防水シートが張設された躯体１０の屋外面に出窓本体２を取付固定する。この場合、縦枠１２の取付部１２ｂをネジ１１で躯体１０に固定し、水切部材２０及び補強ブラケット２２を窓台１８にネジ２３で固定する。
【００２１】
次に、ボックス（先付けボックス）４を前記出窓本体２の上部に載置し、そのボックス４を躯体１０にネジ止めにより固定し、ボックス４と正面上枠１６及び天板見切り縁６０をネジ止めする。ボックス４の取付けが済んだら、外壁工事を行う。この場合、ボックス４の取付部４ｂ及び縦枠１２の取付部１２ｂに防水テープ５０を貼り付け、躯体１０の屋外面に外壁材を取付ける。
【００２２】
前記外壁工事後或いは外壁工事と並行して、前記ボックス４内にシャッター本体３２を取付け、左右の方立１３の屋外面にガイドレール３４をそれぞれ取付ける。そして、ボックス４の前面部に蓋体（後付けボックス）４０を取付けることによりシャッター付出窓１の施工が完了する。
【００２３】
以上の構成からなるでシャッター付窓１によれば、建物の躯体１０に固定される左右の縦枠１２及び屋外正面部左右の方立１３を含む出窓本体１と、該出窓本体１の上部に中屋根４１を介して設けられ、内部にシャッター本体３２を収容するボックス４と、前記方立１３に設けられ、シャッター本体３２から巻上げ下げされるシャッタースラット３１を案内するガイドレール３４とを備え、前記縦枠１２及びボックス４は側部に躯体１０への取付部１２ｂ，４ｂを有し、前記ボックス４は側部４ａから屋外側へ延出した側面部４ｅを有し、該側面部４ｅの下部が中屋根４１の対応する部分に支持固定され、縦枠１２の側部１２ａとボックス４の側部４ａとを略面一にしているため、前記ボックス４の取付部４ｂ及び縦枠１２の取付部１２ｂに防水テープ５０を貼り付けるときに縦方向に連続的に貼り付けることができ、意匠性及び施工性の向上が図れる。
【００２４】
また、前記中屋根４１は、正面部と側面部に正面軒天部材４２ａと側面軒天部材４２ｂを有している。特に、中屋根の正面部と側面部、すなわち正面軒天部材４２ａと側面軒天部材４２ｂには、周縁に沿って連続するように連続的にリブ（支持部）４６ａ，４６ｂが設けられている。そのリブ４６ａ，４６ｂを利用して一方のリブ例えば側面軒天部材４２ｂのリブ（側面部の支持部）４６ｂにはボックス４の側面部４ｅ下部が支持固定され、他方のリブ例えば正面軒天部材４２ａのリブ（正面部の支持部）４６ａにはシャッタースラット３１の裏面に接する止水部材５１が取付けられている。このように、中屋根４１の軒天部材４２ａ，４２ｂにリブ４６ａ，４６ｂを形成し、側面のリブ４６ｂをボックス４との合体に利用し、正面のリブ４６ａを止水部材５１の取付けに利用しているため、部品点数の削減、構造の簡素化及びコストの低減が図れる。換言すれば、同じ断面形状の軒天部材４２ａ，４２ｂを中屋根４１の正面部と側面部に設け、側面部の軒天部材４２ｂのリブ４６ｂを中屋根４１とボックス４の合体に利用し、正面部の軒天部材４２ａのリブ４６ａを止水部材５１の取付けに利用しているため、これらの専用の取付部を別途設ける必要が無く、部品点数の削減、構造の簡素化及びコストの低減が図れる。また、ボックス４と中屋根４１を一体化することができるため、これらの躯体１０への取付けが１回で済み、施工性の向上が図れる。
【００２５】
本発明の実施の形態を図面により詳述してきたが、本発明は前記実施の形態に限定されるものではなく、本発明の要旨を逸脱しない範囲での種々の設計変更等が可能である。
【００２６】
【発明の効果】
以上説明したように本発明によれば、建物の躯体に固定される左右の縦枠及び屋外正面部左右の方立を含む出窓本体と、該出窓本体の上部に中屋根を介して設けられ、内部にシャッター本体を収容するボックスと、前記方立に設けられ、シャッター本体から巻上げ下げされるシャッタースラットを案内するガイドレールとを備え、前記中屋根の正面部と側面部に支持部を連続的に設け、側面部の支持部に前記ボックスの側面部下部を支持させると共に、正面部の支持部に前記シャッタースラットの屋内面に接する止水部材を取付けているため、これらの専用の取付部を別途設ける必要が無く、部品点数の削減、構造の簡素化及びコストの低減が図れる。
【図面の簡単な説明】
【図１】本発明の実施の形態であるシャッター付出窓を示す概略的斜視図である。
【図２】同出窓の概略的縦断面図である。
【図３】同出窓の概略的横断面図である。
【図４】同出窓の側面部の概略的縦断面図である。
【図５】同出窓の分解斜視図である。
【図６】ボックスの分解斜視図である。
【図７】止水部材の取付状態を示す縦断面図である。
【図８】本実施形態の出窓と従来の出窓とを比較するための概略的正面図である。
【符号の説明】
１  シャッター付出窓
２  出窓本体
４  ボックス
１０  躯体
１２  縦枠
１３  方立
３１  シャッタースラット
３２  シャッター本体
４１  中屋根
４６ａ  リブ（正面部の支持部）
４６ｂ  リブ（側面部の支持部）
５１  止水部材
【図１】
2004293209.tif 000003
【図２】
2004293209.tif 000004
【図３】
2004293209.tif 000005
【図４】
2004293209.tif 000006
【図５】
2004293209.tif 000007
【図６】
2004293209.tif 000008
【図７】
2004293209.tif 000009
【図８】
2004293209.tif 000010